(57)【要約】    【課題】      共通パイロットチャネルのダイバーシチ送信パターンを受信する場合の受信性能を向上させること。    【解決手段】  制御部１０９はデータチャネルと共通パイロットチャネルとのタイミング差（フレームオフセット）に応じて加算平均区間の大きさを変更する。位相推定部１０５は変更された前記加算平均区間において位相推定値を算出し、同期検波部１０６に与える。データシンボル区間に対して位相推定に使用するパイロットチャネル区間における過去と未来のシンボルが対称にならない場合が生ずるのを回避することができるので、受信性能を向上させることができるようになる。  【選択図】      図１
2006253963.tif 000002
【特許請求の範囲】
【請求項１】
無線リンク毎に加算平均区間の大きさを変更する制御手段と、変更された前記加算平均区間において位相推定値を算出する位相推定手段と、を具備することを特徴とする位相推定装置。
【請求項２】
前記制御手段は、前記加算平均区間の大きさをデータチャネルとパイロットチャネルとのタイミング差に応じて変更することを特徴とする請求項１記載の位相推定装置。
【請求項３】
受信しているデータチャネルのチャネル情報を生成する制御手段と、前記チャネル情報を受けて、受信するデータチャネル内の各種のデータについて異なる加算平均区間を用いて位相推定値をそれぞれ算出する位相推定手段と、を具備することを特徴とする位相推定装置。
【請求項４】
受信しているデータチャネルのチャネル情報を生成する制御手段と、前記チャネル情報を受けて、受信するデータチャネル内の各種のデータについての位相推定値を異なる加算平均区間を用いてそれぞれ算出する位相推定手段と、前記チャネル情報を受けて、同期検波するデータに応じて使用する位相推定値を前記位相推定手段が算出した複数の位相推定値の中から選択する同期検波手段と、を具備することを特徴とする受信装置。
【請求項５】
前記位相推定手段は、受信するデータチャネル内のＴＰＣ用に位相推定値を算出し、前記同期検波手段は、受信するデータチャネル内のＴＰＣを復調する場合に前記位相推定手段が算出したＴＰＣ用位相推定値を使用することを特徴とする請求項４記載の受信装置。
【請求項６】
無線リンク毎に加算平均区間の大きさを変更制御する制御工程と、変更された前記加算平均区間において位相推定値を算出する位相推定工程と、を具備することを特徴とする位相推定方法。
【請求項７】
前記制御工程では、前記加算平均区間の大きさをデータチャネルとパイロットチャネルとのタイミング差に応じて変更することを特徴とする請求項６記載の位相推定方法。
【請求項８】
受信しているデータチャネルのチャネル情報を生成する制御工程と、前記チャネル情報を受けて、受信しているデータチャネル内の各種のデータについての位相推定値を異なる加算平均区間を用いてそれぞれ算出する位相推定工程と、を具備することを特徴とする位相推定方法。
【発明の詳細な説明】
【技術分野】
【０００１】
本発明は、符号分割多元接続（Code Division Multiple Access：以下「ＣＤＭＡ」という）方式を用いた移動通信システムにおける基地局や移動局で用いられる位相推定装置、位相推定方法及び受信装置に関する。
【背景技術】
【０００２】
直接拡散ＣＤＭＡ方式を用いた移動通信システムにおける基地局や移動局では、位相推定法を用いて高効率の同期検波受信を実現している。即ち、移動通信環境下においては、移動局と基地局との相対的な移動に伴うレイリーフェージングに起因する振幅変動・受信変動が生じる。そのため、受信データの復号では、復号基準を与える値が必要となる。
【０００３】
復号基準を与える値は、既知データである共通パイロットチャネル（Common Pilot Channel：ＣＰＩＣＨ）の受信復号値の位相値から受信中の位相を推定することで求める。そして、受信信号におけるデータチャネル（Dedicated Physical Channel：ＤＰＣＨ）との相関値に対して位相推定値を用いて補正を行ってＲＡＫＥ（レイク）合成を行うという方法が採られている。
【０００４】
ここで、復号基準を与える値を求める位相推定法の性能を向上させる技術が幾つか提案されている。例えば、特許文献１では、スロット内のデータシンボルを複数のデータシンボルに分割し、各データシンボル区間の位相推定値の計算に適切なパイロットを選択する位相推定方法を提案されている。
【０００５】
また、特許文献２では、周波数誤差によって位相推定の加算平均区間を変えながら平均する方法を提案されている。
【０００６】
また、特許文献３では、送信ダイバーシチを行う各アンテナから送信される共通パイロットチャネルＣＰＩＣＨの送信パターンが移動通信規格３ＧＰＰ  ＴＳ２５．２１１に準拠して定められている場合に、１シンボル過去のスロットの受信シンボルと現スロットのシンボルとの９シンボルを用いて位相を推定する方法が提案されている。なお、移動通信規格３ＧＰＰ  ＴＳ２５．２１１で定められている共通パイロットチャネルのダイバーシチ送信パターンは図９に示すようになっている。
【０００７】
図９において、１フレームは、フレーム＃（ｉ−１）に示すように、２つのスロット区間で構成され、各スロット区間は１０個のシンボルで構成されている。アンテナ＃１からは、各スロットにシンボルＡを挿入して送信される。一方、アンテナ＃２からは、基本的には２つのスロット毎に、シンボルＡ、Ａと、それを反転したシンボル−Ａ、−Ａとを交互に挿入して送信される。
【特許文献１】国際公開第００／０６０７６１号パンフレット
【特許文献２】特開２００２−２１７７８３号公報
【特許文献３】特開２００３−２１８７４１号公報
【発明の開示】
【発明が解決しようとする課題】
【０００８】
しかしながら、移動通信規格３ＧＰＰ  ＴＳ２５．２１１に準拠した共通パイロットチャネルのダイバーシチ送信パターンを使用する場合、従来の位相推定方法を用いると、データシンボル区間に対して位相推定に使用する共通パイロットチャネル区間における過去と未来のシンボルが対称にならない場合があり、特性が劣化するという問題がある。
【０００９】
本発明は、かかる点に鑑みてなされたものであり、移動通信規格３ＧＰＰ  ＴＳ２５．２１１に準拠した共通パイロットチャネルのダイバーシチ送信パターンを使用する場合に受信性能を向上させることができる位相推定装置、位相推定方法及び受信装置を提供することを目的とする。
【課題を解決するための手段】
【００１０】
かかる課題を解決するため、本発明に係る位相推定装置は、無線リンク毎に加算平均区間の大きさを変更する制御手段と、変更された前記加算平均区間において位相推定値を算出する位相推定手段とを具備する構成を採る。
【００１１】
この構成によれば、移動通信規格３ＧＰＰ  ＴＳ２５．２１１に準拠した共通パイロットチャネルのダイバーシチ送信パターンを使用する場合に、データシンボル区間に対して位相推定に使用するパイロットチャネル区間における過去と未来のシンボルが対称にならない場合が生ずるのを回避することができるので、受信性能を向上させることができる。
【００１２】
本発明に係る位相推定装置は、上記の発明において、前記制御手段は、前記加算平均区間の大きさをデータチャネルとパイロットチャネルとのタイミング差に応じて変更する構成を採る。
【００１３】
この構成によれば、データシンボル区間に対して位相推定に使用するパイロットチャネル区間における過去と未来のシンボルが対称にならない場合が生ずるのを回避することができる。
【００１４】
本発明に係る位相推定装置は、受信しているデータチャネルのチャネル情報を生成する制御手段と、前記チャネル情報を受けて、受信するデータチャネル内の各種のデータについて異なる加算平均区間を用いて位相推定値をそれぞれ算出する位相推定手段と、を具備する構成を採る。
【００１５】
この構成によれば、データチャネル内の各種のデータそれぞれについて適切な位相推定値を求めることができる。
【００１６】
本発明に係る受信装置は、受信しているデータチャネルのチャネル情報を生成する制御手段と、前記チャネル情報を受けて、受信するデータチャネル内の各種のデータについての位相推定値を異なる加算平均区間を用いてそれぞれ算出する位相推定手段と、前記チャネル情報を受けて、同期検波するデータに応じて使用する位相推定値を前記位相推定手段が算出した複数の位相推定値の中から選択する同期検波手段とを具備する構成を採る。
【００１７】
この構成によれば、データチャネル内の領域毎に、別々に位相推定値を求めて同期検波するので、受信性能を向上させることができる。
【００１８】
本発明に係る受信装置は、上記の発明において、前記位相推定手段は、受信するデータチャネル内のＴＰＣ用に位相推定値を算出し、前記同期検波手段は、受信するデータチャネル内のＴＰＣを復調する場合に前記位相推定手段が算出したＴＰＣ用位相推定値を使用する構成を採る。
【００１９】
この構成によれば、ＴＰＣの受信性能を向上させることができる。
【００２０】
本発明に係る位相推定方法は、無線リンク毎に加算平均区間の大きさを変更制御する制御工程と、変更された前記加算平均区間において位相推定値を算出する位相推定工程とを具備するようにした。
【００２１】
この方法によれば、移動通信規格３ＧＰＰ  ＴＳ２５．２１１に準拠した共通パイロットチャネルのダイバーシチ送信パターンを使用する場合に、データシンボル区間に対して位相推定に使用するパイロットチャネル区間における過去と未来のシンボルが対称にならない場合が生ずるのを回避することができるので、受信性能を向上させることができる。
【００２２】
本発明に係る位相推定方法は、上記の発明において、前記制御工程では、前記加算平均区間の大きさをデータチャネルとパイロットチャネルとのタイミング差に応じて変更するようにした。
【００２３】
この方法によれば、データシンボル区間に対して位相推定に使用するパイロットチャネル区間における過去と未来のシンボルが対称にならない場合が生ずるのを回避することができる。
【００２４】
本発明に係る位相推定方法は、受信しているデータチャネルのチャネル情報を生成する制御工程と、前記チャネル情報を受けて、受信しているデータチャネル内の各種のデータについての位相推定値を異なる加算平均区間を用いてそれぞれ算出する位相推定工程とを具備するようにした。
【００２５】
この方法によれば、データチャネル内の各種のデータそれぞれについて適切な位相推定値を求めることができる。
【発明の効果】
【００２６】
本発明によれば、移動通信規格３ＧＰＰ  ＴＳ２５．２１１に準拠した共通パイロットチャネルのダイバーシチ送信パターンを使用する場合に受信性能を向上させることができる位相推定装置、位相推定方法及び受信装置を提供することができる。
【発明を実施するための最良の形態】
【００２７】
本発明の骨子は、移動通信規格３ＧＰＰ  ＴＳ２５．２１１に準拠した共通パイロットチャネルのダイバーシチ送信パターンを受信する場合に、共通パイロットチャネルとデータチャネルとのタイミング差に応じて、位相推定値を求める加算平均区間の大きさを変更してデータシンボル区間に対し位相推定に使用するパイロットチャネル区間において対称にならないシンボルが生じないようにすること、併せてＴＰＣ部復調用の位相推定値とデータ部復調用の位相推定値とを別々に求め、別々に同期検波することである。
【００２８】
以下、本発明の実施の形態について図面を参照して詳細に説明する。
【００２９】
（実施の形態１）
図１は、本発明の実施の形態１に係る位相推定装置を備える受信装置の構成を示すブロック図である。図１に示す受信装置１００は、アンテナ１０１と、無線受信部１０２と、共通パイロットチャネルＣＰＩＣＨ用の逆拡散部１０３の複数個と、データチャネルＤＰＣＨ用の逆拡散部１０４の複数個と、位相推定部１０５の複数個と、同期検波部１０６の複数個と、ＲＡＫＥ合成部１０７と、復号部１０８と、制御部１０９とを備えている。
【００３０】
図１において、無線受信部１０２は、アンテナ１０１にて受信される信号に対して所定の無線処理（ダウンコンバート、復調処理、Ａ／Ｄ変換等）を施し、それを並列に接続される複数の逆拡散部１０３、１０４に与える。
【００３１】
複数の逆拡散部１０３、１０４は、複数の無線基地局からの複数の下り回線信号に対応して設けられ、それぞれ、異なる逆拡散コードを使用して逆拡散処理を行うようになっている。
【００３２】
具体的には、複数の逆拡散部１０３は、それぞれ、対応する無線基地局の逆拡散コードに対応した逆拡散コードを使用してＣＰＩＣＨ信号を再生する。一方、複数の逆拡散部１０４は、それぞれ、対応する無線基地局の逆拡散コードに対応した逆拡散コードを使用して対応する無線基地局から送られてくるＤＰＣＨに含まれる送信データを再生する。
【００３３】
複数の逆拡散部１０３でのＣＰＩＣＨ信号の逆拡散結果は、複数の位相推定部１０５の対応するものに与えられる。複数の位相推定部１０５は、制御部１０９から入力される加算平均区間に従って加算平均を行って逆拡散後の信号の位相推定値を求め、それを複数の同期検波部１０６の対応するものに与える。また、複数の逆拡散部１０４でのＤＰＣＨ信号の逆拡散結果は、複数の同期検波部１０６の対応するものに与えられる。
【００３４】
同期検波部１０６では、位相推定部１０５が算出した位相推定値の複素共役をＤＰＣＨ逆拡散符号に掛けて同期検波を行う。複数の同期検波部１０６の同期検波結果は、ＲＡＫＥ合成部１０７に出力される。
【００３５】
ＲＡＫＥ合成部１０７は、各同期検波出力の和を求め、復号部１０８に与える。復号部１０８は、ＲＡＫＥ合成信号に対して誤り訂正復号などを行う。
【００３６】
制御部１０９は、基地局装置から送信される各無線リンクの共通パイロットチャネルＣＰＩＣＨとデータチャネルＤＰＣＨとのタイミング差（フレームオフセット）を監視し、無線リンク毎に位相推定部１０５に与える加算平均区間を変更制御する。このフレームオフセットには、タイミング差が偶数シンボルと奇数シンボルの場合がある。
【００３７】
次に、図２−１〜図４−２を参照して本実施の形態１に係る位相推定法の原理について説明する。なお、図２−１は、送信ダイバーシチありのときの４シンボル位相推定期間を示す図（フレームオフセットが奇数の場合）である。図２−２は、送信ダイバーシチありのときの４シンボル位相推定期間を示す図（フレームオフセットが偶数の場合）である。図３は、加算平均区間が対称でない場合の特性劣化原理を説明する図であり、図３(ａ)はフレームオフセットが奇数の場合であり、図３（ｂ）はフレームオフセットが偶数の場合である。図４−１は、送信ダイバーシチありのときの６シンボル位相推定期間を示す図（フレームオフセットが奇数の場合）である。図４−２は、送信ダイバーシチありのときの６シンボル位相推定期間を示す図（フレームオフセットが偶数の場合）である。
【００３８】
図２−１では、ＣＰＩＣＨに対するＤＰＣＨのフレームオフセットが１シンボル＝２５６チップである場合を示す。図２−２では、ＣＰＩＣＨに対するＤＰＣＨのフレームオフセットが２シンボル＝２×２５６チップである場合を示す。図２−１と図２−２では、加算平均区間は４シンボル＝４×２５６チップである。
【００３９】
送信ダイバーシチ受信時は、図９に示したアンテナ＃１とアンテナ＃２の位相推定値を求める必要がある。ここでは、一例として、１フレームの先頭スロット区間における０シンボル目の受信データと次の１シンボル目の受信データとを使ってアンテナ＃１とアンテナ＃２の位相推定値を求める方法を説明する。
【００４０】
０シンボル目の受信データ及び１シンボル目の受信データを逆拡散した結果は、それぞれ、
Ｄｐｌｕｓ＝α１ＡＴｓ＋α２ＡＴｓ＋Ｎ１            （１）
Ｄｍｉｎｕｓ＝α１ＡＴｓ−α２ＡＴｓ＋Ｎ２            （２）
とする。
【００４１】
なお、式（１）（２）において、α１，α２は、それぞれ、アンテナ＃１、アンテナ＃２のチャネル推定係数である。Ａはシンボル（複素数）、Ｎ１，Ｎ２は雑音、Ｔｓはシンボル時間である。
【００４２】
式（１）と式（２）とを加算すると、２α１ＡＴｓ＋Ｎ１＋Ｎ２となることから、アンテナ＃１のチャネル推定係数α１は、α１＝式（１）＋式（２）で求めることができる。同様に、式（１）と式（２）とを減算すると、２α２ＡＴｓ＋Ｎ１−Ｎ２となることから、アンテナ＃２のチャネル推定係数α２は、α２＝式（１）−式（２）で求めることができる。
【００４３】
そして、図９に示すように、アンテナ＃２は、シンボルＡとシンボル−Ａの組み合わせを送信するので、アンテナ＃２がシンボルＡを送信する区間を式（１）に適応させ、アンテナ＃２がシンボル−Ａを送信する区間を式（２）に適応させ、アンテナ＃２が送信するシンボルＡとシンボル−Ａの組み合わせによるシンボルを使用してアンテナ＃１とアンテナ＃２の位相推定値を求める。
【００４４】
具体的には、例えば、図２−１、図２−２に示すように、共通パイロットチャネルＣＰＩＣＨの偶数シンボルと奇数シンボルのペアを用いてアンテナ＃１とアンテナ＃２の瞬時位相推定値を求め、その値をアンテナ毎に加算平均して位相推定値を求める。そして、この位相推定値をデータチャネルＤＰＣＨの対応するシンボルに適用して位相補正を行った上で、データチャネルＤＰＣＨの同期検波を行うことになる。
【００４５】
ところで、図２−２に示すようにフレームオフセットが偶数の場合は、対称のデータチャネルＤＰＣＨに対して位相推定に用いる加算平均区間が過去と未来では対称でないことが解る。一方、図２−１に示すようにフレームオフセットが奇数の場合は、対称のデータチャネルＤＰＣＨに対して、位相推定に用いる加算平均区間が対称であることが解る。
【００４６】
同じ加算回数でも、加算平均区間が対称である場合と対称でない場合とを比較すると、加算平均区間が対称でない場合は図３に示すように特性が劣化する。図３において、フレームオフセットが奇数である場合（図３（ａ）は、求めたい位相推定値３０１に対し、瞬時位相推定値３０２，３０３の加算平均して得られる位相推定値３０４は、同一方向に向くベクトルとなるので、性能が良い。
【００４７】
これに対して、フレームオフセットが偶数である場合（図３（ｂ）は、求めたい位相推定値３１１に対し、瞬時位相推定値３１２，３１３を加算平均して得られる位相推定値３１４は、同一方向のベクトルとならないので、特性が劣化する。
【００４８】
次に、図４−１では、ＣＰＩＣＨに対するＤＰＣＨのフレームオフセットが１シンボル＝２５６チップである場合を示す。図４−２では、ＣＰＩＣＨに対するＤＰＣＨのフレームオフセットが２シンボル＝２×２５６チップである場合を示す。図４−１と図４−２では、加算平均区間は６シンボル＝６×２５６チップである。
【００４９】
図４−２に示すように、フレームオフセットが偶数である場合は、データチャネルＤＰＣＨに対して、位相推定に用いる加算平均区間が対称であるので、特性が良い。一方、図４−１に示すように、フレームオフセットが奇数である場合は、データチャネルＤＰＣＨに対して、位相推定に用いる加算平均区間が対称でないので、図２−２と同様に、特性が劣化する。
【００５０】
そこで、制御部１０９は、今の例では、フレームオフセットが偶数の場合は６×２５６チップの加算平均区間を位相推定部１０５に与え、フレームオフセットが奇数の場合は４×２５６チップの加算平均区間を位相推定部１０５に与えるように制御する。
【００５１】
このように、位相推定の加算平均区間を、共通パイロットチャネルＣＰＩＣＨとデータチャネルＤＰＣＨのタイミング差（フレームオフセット）に応じて変化させるので、データシンボル区間に対し位相推定に使用するパイロットチャネル区間において対称にならないシンボルが生じないようにすることができ、受信性能を向上させることができる。
【００５２】
（実施の形態２）
図５は、本発明の実施の形態２に係る位相推定装置を備える受信装置の構成を示すブロック図である。なお、図５では、図１（実施の形態１）に示した構成要素と同一ないしは同等である構成要素には同一の符号が付されている。ここでは、本実施の形態２に関わる部分を中心に説明する。
【００５３】
図５に示すように、本実施の形態２に係る位相推定装置を備える受信装置５００は、図１（実施の形態１）に示した構成において、位相推定部１０５に代えて位相推定部５０１が設けられ、同期検波部１０６に代えて同期検波部５０２が設けられ、制御部１０９に代えて制御部５０３が設けられている。
【００５４】
制御部５０３は、現在受信しているデータチャネルＤＰＣＨのチャネル情報を位相推定部５０１と同期検波部５０２とに与える。
【００５５】
位相推定部５０１は、制御部５０３が出力する現在受信しているデータチャネルＤＰＣＨのチャネル情報に応じて、複数の加算平均値、加算平均区間の位相推定値を算出し、同期検波部５０２に与える。
【００５６】
同期検波部５０２は、現在受信しているデータチャネルＤＰＣＨのチャネル情報に応じて、使用する位相推定値を切り替えながら同期検波を行うようになっている。
【００５７】
図６は、位相推定部５０１及び同期検波部５０２の構成例を示すブロック図である。図６に示すように、位相推定部５０１は、本実施の形態２に関わる構成として、ＴＰＣ用の加算平均区間にて位相推定値を算出するＴＰＣ用位相推定部６０１と、データ（Ｄａｔａ）用の加算平均区間にて位相推定値を算出するＤａｔａ用位相推定部６０２とを備える。
【００５８】
また、同期検波部５０２は、本実施の形態２に関わる構成として、制御部６１１と、スイッチ（ＳＷ）６１２と、複素乗算部６１３とを備える。
【００５９】
図７に示すように、下りデータチャネルＤＰＣＨのスロットフォーマットは、パイロット（Ｐｉｌｏｔ）部７０１と、ＴＰＣ（送信電力制御）部７０２と、データ（Ｄａｔａ）部７０３と、パイロット（Ｐｉｌｏｔ）部７０４とで構成される。制御部６１１は、現在受信しているデータチャネルＤＰＣＨのチャネル情報に依ってスイッチ（ＳＷ）６１２を制御する。即ち、現在受信しているデータチャネルＤＰＣＨのチャネル情報がＴＰＣ部７０２であれば、ＴＰＣ用位相推定部６０１の出力を選択するようにスイッチ（ＳＷ）６１２を制御し、データ（Ｄａｔａ）部７０３であれば、Ｄａｔａ用位相推定部６０２の出力を選択するようにスイッチ（ＳＷ）６１２を制御し、同期検波に使用する位相推定値を切り替える。
【００６０】
複素乗算部６１３は、スイッチ（ＳＷ）６１２が選択出力する位相推定値を用いて、ＤＰＣＨ用の逆拡散部１０４から入力するＴＰＣ、データ（Ｄａｔａ）を補正する。検波結果は、ＲＡＫＥ合成部１０７に出力される。
【００６１】
次に、図８を参照して、データチャネルＤＰＣＨにおけるＴＰＣ部とデータ（Ｄａｔａ）部についての位相推定法について説明する。図８は、ＴＰＣ用とＤａｔａ用の位相推定区間を説明する図である。
【００６２】
図７において、下りのＴＰＣ部７０２を復調した場合、５１２チップ後の上りスロットの先頭タイミングにおいてＴＰＣ復調した結果に基づいた上り送信パワーを反映させる必要がある。したがって、ＴＰＣ復調を行う場合、上りの送信パワー反映までに間に合わなくなるので、未来の共通パイロットチャネルＣＰＩＣＨを使って位相推定を行うことは、困難である。したがって、ＴＰＣ用の位相推定区間は、図８（ａ）に示すようになる。
【００６３】
一方、データ（Ｄａｔａ）部７０３の復調では、ＴＰＣ部７０２のように時間規定が厳しくないので、未来の共通パイロットチャネルＣＰＩＣＨを使って位相推定を行うことができ、復調特性を向上させることができる。したがって、データ（Ｄａｔａ）用の位相推定区間は、図８（ｂ）に示すように、ＴＰＣ用の位相推定区間（図８（ａ））よりも大きい期間になる。
【００６４】
このように、実施の形態２では、ＴＰＣ部復調用の位相推定値とデータ部復調用の位相推定値とを別々に求め、別々に同期検波することができるので、受信特性を向上することができる。
【００６５】
以上説明した各実施の形態では、データチャネルとしてＤＰＣＨを示したが、その他、例えば、ＳＣＣＰＣＨなどのチャネルでもよい。
【産業上の利用可能性】
【００６６】
本発明は、移動通信規格３ＧＰＰ  ＴＳ２５．２１１に準拠した共通パイロットチャネルのダイバーシチ送信パターンを受信する場合の受信性能を向上させる位相推定装置、位相推定方法及び受信装置として有用である。
【図面の簡単な説明】
【００６７】
【図１】本発明の実施の形態１に係る位相推定装置を備える受信装置の構成を示すブロック図
【図２−１】送信ダイバーシチありのときの４シンボル位相推定期間を示す図（フレームオフセットが奇数の場合）
【図２−２】送信ダイバーシチありのときの４シンボル位相推定期間を示す図（フレームオフセットが偶数の場合）
【図３】加算平均区間が対称でない場合の特性劣化原理を説明する図
【図４−１】送信ダイバーシチありのときの６シンボル位相推定期間を示す図（フレームオフセットが奇数の場合）
【図４−２】送信ダイバーシチありのときの６シンボル位相推定期間を示す図（フレームオフセットが偶数の場合）
【図５】本発明の実施の形態２に係る位相推定装置を備える受信装置の構成を示すブロック図
【図６】図５に示す位相推定部及び同期検波部の構成例を示すブロック図
【図７】ＴＰＣ復調と上りタイミングを説明する図
【図８】ＴＰＣ用とＤａｔａ用の位相推定区間を説明する図
【図９】移動通信規格３ＧＰＰ  ＴＳ２５．２１１で定められている共通パイロットチャネルのダイバーシチ送信パターンを示す図
【符号の説明】
【００６８】
１００、５００  位相推定装置を備える受信装置
１０１  アンテナ
１０２  無線受信部
１０３  ＣＰＩＣＨ用の逆拡散部
１０４  ＤＰＣＨ用の逆拡散部
１０５、５０１  位相推定部
１０６、５０２  同期検波部
１０７  ＲＡＫＥ合成部
１０８  復号部
１０９、５０３  制御部
６０１  ＴＰＣ用位相推定部
６０２  Ｄａｔａ用位相推定部
６１１  制御部
６１２  スイッチ（ＳＷ）
６１３  複素乗算部
【図１】
2006253963.tif 000003
【図２−１】
2006253963.tif 000004
【図２−２】
2006253963.tif 000005
【図３】
2006253963.tif 000006
【図４−１】
2006253963.tif 000007
【図４−２】
2006253963.tif 000008
【図５】
2006253963.tif 000009
【図６】
2006253963.tif 000010
【図７】
2006253963.tif 000011
【図８】
2006253963.tif 000012
【図９】
2006253963.tif 000013